(57)【要約】【課題】利用者の意識することなしに自動的に保存物個々の情報を読み込み、その情報に基づいてそれぞれの保存物にとって最適な保存環境となるように制御する保存制御装置を提供すること。【解決手段】保存物に添付された無線情報タグ２０１から保存物情報を受信する情報受信部２３１と、この保存物情報に基づいて収納環境の制御内容を求める算出部２３２と、この制御内容で収納環境を制御する制御部２３３とを有していることにより、保存物個々の保存物情報を自動的に、かつ同時に読み込むことができるので、利用者が保存室に保存物をまとめて入れるだけで、その情報に基づいてそれぞれの保存物にとって最適な保存環境となるように制御することが可能になる。【選択図】  図２
2004198043.tif 000002
【特許請求の範囲】
【請求項１】
保存物に添付された無線情報タグから保存物情報を受信する情報受信部と、
前記保存物情報に基づいて収納環境の制御内容を求める算出部と、
前記制御内容で収納環境を制御する制御部と
を有する保存制御装置。
【請求項２】
前記無線情報タグに電力を伝送する電力伝送部を更に有する請求項１に記載の保存制御装置。
【請求項３】
前記無線情報タグに情報の送信を要求する要求送信部を更に有する請求項１および請求項２のいずれか一方に記載の保存制御装置。
【請求項４】
前記制御内容は、前記収納環境の温度、湿度、雰囲気、および圧力の少なくともいずれか一つを制御するものである請求項１に記載の保存制御装置。
【請求項５】
前記無線情報タグから受信した前記保存物情報および前記算出部からの算出結果の少なくともいずれか一方を利用者に出力する出力部を更に有する請求項１乃至請求項３のいずれかに記載の保存制御装置。
【請求項６】
前記保存物情報は、保存物の名称、材料、賞味期限、製造元、品番、取り出し累積回数、取り出し累積時間、推奨保存温度、推奨保存湿度、推奨保存雰囲気、推奨保存圧力の少なくともいずれか一つを含むことを特徴とする請求項１乃至請求項３のいずれかに記載の保存制御装置。
【請求項７】
前記無線情報タグに、更新された取り出し累積回数および更新された取り出し累積時間の少なくともいずれか一方を送信する情報送信部を更に有する請求項１乃至請求項６のいずれかに記載の保存制御装置。
【請求項８】
算出部が、前記取り出し累積回数および取り出し累積時間の少なくともいずれか一方に基づいて、賞味期限、消費期限、推奨保存温度、推奨保存湿度、推奨保存雰囲気、および推奨保存圧力の少なくともいずれか一つを変更する請求項６に記載の保存制御装置。
【請求項９】
前記情報受信部は、ＲＦＩＤまたは非接触型ＩＣで構成された前記無線情報タグから保存物情報を受信する請求項１乃至請求項８のいずれかに記載の保存制御装置。
【請求項１０】
電気通信回線へ接続する通信部を更に有し、
前記算出部が前記通信部から得られた前記保存物に関する情報に基づいて警告の内容を求め、前記警告を前記出力部に出力する請求項５に記載の保存制御装置。
【発明の詳細な説明】
【０００１】
【発明の属する技術分野】
本発明は、被保存物の情報を用いて保存方法を制御する保存制御装置に関する。
【０００２】
【従来の技術】
従来より、この保存制御装置としては、例えば特許文献１に記載されているようなものがあった。図１０は、特許文献１に記載された従来の冷蔵庫の概略構成図を示すものである。
【０００３】
図１０において、冷蔵庫１００１に取り付けられた情報タグ送受信装置１００４が食品保管容器１００２に貼付された情報タグ１００３から識別用のＩＤ番号を受信することにより、冷蔵庫１００１は自動的に入出庫管理を行い、食品保管容器９０２の収納判別場所と別途入力された食品名とから保存に最適な温度帯を求め、それに適合するように庫内を制御していた。
【０００４】
また、保存物自体に情報タグを装着する従来例としては、特許文献２に記載されているものがあった。図１１は特許文献２に記載された別の従来の冷蔵庫のブロック構成図を示すものである。
【０００５】
図１１において、冷蔵庫本体１１０１の側壁の断熱材中および棚板の裏面などにアンテナ１１０２ａ乃至１１０２ｎを埋め込み配設し、冷蔵室、野菜室、切り替え室あるいは冷凍室の各室単位で内部に収容される食品の無線タグと通信を行う構成としていた。そして、制御装置１１０３がリーダ１１０４により受信した食品情報と受信したアンテナとを特定することで位置を検出して表示装置１１０５に表示させていた。また、表示装置１１０５には、入庫した食品をその都度入庫情報として表示すると共に、必要に応じて庫内に存在する食品の一覧を在庫情報として表示していた。
【０００６】
【特許文献１】
特開２００１−３１７８５９号公報（第４−７頁、第１図）
【特許文献２】
特開２００２−８１８４８号公報（第４−６頁、第１図）
【０００７】
【発明が解決しようとする課題】
しかしながら、従来の構成では、個々の保存物からそれぞれを保存するのに必要な保存環境の情報が得られないため、食品名などによる大まかな推奨の保存環境で保存することになり、保存物にとって最適な保存がなされない可能性があった。
【０００８】
本発明は、このような従来の課題を解決するものであり、その目的とするところは、利用者の手を煩わせることなしに自動的に保存物個々の情報を読み込み、その情報に基づいてそれぞれの保存物にとって最適な保存環境となるように制御する保存制御装置を提供することにある。
【０００９】
【課題を解決するための手段】
上記従来の課題を解決する本発明に係る保存制御装置は、保存物の個別の情報を取り出し、それらの情報を用いて、複数の保存物の組み合わせにおいて最適な保存方法を推定するようにしたものである。
【００１０】
これにより、保存物の正確な情報を得ることが可能となり、最適な保存方法の決定性能の向上を図ると共に、保存物の傷みを軽減しつつ、省エネ運転等も可能になる。
【００１１】
また、複数の異なる材質の保存物が混合されている場合でも、個々の保存物の保存方法の要求を満たしつつ、総合的に最適な保存方法を決定することが可能となる。
【００１２】
【発明の実施の形態】
本発明に係る保存制御装置は、保存物に添付された無線情報タグから保存物情報を受信する情報受信部と、この保存物情報に基づいて収納環境の制御内容を求める算出部と、この制御内容で収納環境を制御する制御部とを有している。
【００１３】
これにより、保存物個々の保存物情報を自動的に、かつ同時に読み込むことができるので、利用者が保存室に保存物をまとめて入れるだけで保存温度等に適した制御内容で保存することが可能になる。
【００１４】
また、本発明に係る保存制御装置は、無線情報タグに電力を伝送する電力伝送部を更に有している。
【００１５】
これにより、電力供給を保有しない無線情報タグに情報の必要なときにのみ電力を供給することができるので、エネルギーの省力化と無線情報タグの小型化が可能になる。
【００１６】
また、本発明に係る保存制御装置は、無線情報タグに情報の送信を要求する要求送信部を更に有している。
【００１７】
これにより、情報の必要なときにのみ無線情報タグに要求するので、エネルギーの省力化が可能になる。
【００１８】
また、本発明に係る保存制御装置の制御内容は収納環境の温度、湿度、雰囲気、および圧力の少なくともいずれか一つを制御するものである。
【００１９】
これにより、保存物に適する収納環境を保存物情報に応じて制御することが可能になる。
【００２０】
また、本発明に係る保存制御装置は、無線情報タグから受信した保存物情報および算出部からの算出結果の少なくともいずれか一方を利用者に出力する出力部を更に有している。
【００２１】
これにより、複数の保存物を同じ保存室に保存することが不適切な場合に、利用者に警告を行い、保存物の賞味期限や消費期限が迫っていることを通知することが可能になる。
【００２２】
また、本発明に係る保存制御装置が受信する保存物情報は、保存物の名称、材料、賞味期限、製造元、品番、取り出し累積回数、取り出し累積時間、推奨保存温度、推奨保存湿度、推奨保存雰囲気、推奨保存圧力の少なくともいずれか一つを含んでいる。
【００２３】
これにより、無線情報タグから得られた各種の保存物情報を基に保存に適する制御内容を決定することが可能になる。
【００２４】
また、本発明に係る保存制御装置は、無線情報タグに、更新された取り出し累積回数および更新された取り出し累積時間の少なくともいずれか一方を送信する情報送信部を更に有している。
【００２５】
これにより、保存物の最新の使用状況を無線情報タグに通知されるので、保存物自身が使用状況のデータを保持することになる。このため、保存制御装置が個々の保存物の取り出し状況を管理していなくても、再度保存される時にその使用状況を読み取ることが可能になる。
【００２６】
また、本発明に係る保存制御装置の算出部は、取り出し累積回数および取り出し累積時間の少なくともいずれか一方に基づいて、賞味期限、消費期限、推奨保存温度、推奨保存湿度、推奨保存雰囲気、および推奨保存圧力の少なくともいずれか一つを変更する。
【００２７】
これにより、保存物の使用状況を読み取ることで、保存物個々の使用状況に適合した保存を行うことが可能になる。
【００２８】
また、本発明に係る保存制御装置の情報受信部はＲＦＩＤまたは非接触型ＩＣで構成された無線情報タグから保存物情報を受信している。
【００２９】
これにより、無線情報タグは非常に小型に構成できるので、食料品に容易に取り付けることが可能になる。
【００３０】
また、本発明に係る保存制御装置は、電気通信回線へ接続する通信部を更に有し、算出部が通信部から得られた保存物に関する情報に基づいて警告の内容を求め、その警告を出力部に出力する。
【００３１】
これにより、常時保存物に関する情報を入手できるので、市場で食料品など保存物に欠陥が見つかった場合に、その使用を避けることが可能になる。
【００３２】
以下、本発明の実施の形態について図面を参照して説明する。
【００３３】
（実施の形態１）
図１は、本発明の実施の形態１における冷蔵庫本体の断面図を示している。
【００３４】
図１において、冷蔵庫本体１０１は冷凍室１０２と第１冷蔵室１０３と第２冷蔵室１０４と野菜室１０５とに分けられており、それぞれに第１冷却器１０７乃至第４冷却器１１１と第１冷却ファン１０６乃至第４冷却ファン１１２が備えられ、圧縮機１１４による冷凍サイクルで冷却されている。
【００３５】
また、各保存室の天上面と底面には図示していない保存物に附属されている保存物情報タグと情報を送受信する通信部１１５ａ乃至１１５ｊが装着されており、この通信部１１５ａ乃至１１５ｊからの情報を扉１１６に備え付けられた制御パネル１１７に通知される。この制御パネル１１７は受信した情報に基づいて第１冷却器１０７乃至第４冷却器１１１や第１冷却ファン１０６乃至第４冷却ファン１１２を制御したり、各保存室の温度設定を指示したり、あるいは表示を行う。
【００３６】
なお、通信部１１５ａ、１１５ｂは冷凍庫１０２の上段にある保存物との通信をするものである。このため、通信部１１５ｂと１１５ｃとの間はシールドされていて下段の保存物へは通信されない構造をしている。同様に通信部１１５ｄと通信部１１５ｅの間、通信部１１５ｆと通信部１１５ｇの間、通信部１１５ｈと通信部１１５ｉの間もシールドされていて、各通信部はそれぞれが面している保存室にある保存物とのみ通信が可能な構成をしている。
【００３７】
図２は、本発明の実施の形態１における冷蔵庫と保存物に附属の保存物情報タグとからなるブロック構成図を示している。なお、以降の図の説明において、既に説明した構成物と同一のものについては、同一の符号をつけて示している。
【００３８】
図２において、保存物情報タグ２０１は無線情報タグに相当し、ＲＦＩＤ（Ｒａｄｉｏ  Ｆｒｅｑｕｅｎｃｙ  Ｉｄｅｎｔｉｆｉｃａｔｉｏｎ：無線周波数による非接触自動認識装置）や非接触型ＩＣから構成されており、アンテナからデータを無線で送受信できる。本実施の形態において、保存物情報タグ２０１は外部から電磁結合方式により電磁誘導で電力供給を受けることにより、電池レス化を図っている。この保存物情報タグ２０１には図５に示す情報が記録されている。
【００３９】
ここで図５は保存物情報を示す図であり、ＩＤ５０１、品名５０２、生産者名５０３、材料５０４、賞味期限５０５、消費期限５０６、推奨保存最高温度５０７、推奨保存最低温度５０８、鮮度と保存温度との関係式５０９、推奨保存最高湿度５１０、推奨保存最低湿度５１１、推奨保存圧力５１２、推奨ガス５１３、推奨ガス濃度５１４、栄養素５１５、カロリー５１６、および価格５１７がある。
【００４０】
なお、ＩＤ５０１は、保存物情報タグ２０１個々にユニークな番号であり、同じ番号のものが存在することはない。
【００４１】
冷蔵庫１０１は、図１に示した通信部１１５と制御パネル１１７とからなる保存制御装置２０２と、圧縮機１１４、第１冷却器１０７乃至第４冷却器１１３、第１冷却ファン１０６乃至第４冷却ファン１１２、第１開閉センサ２０３乃至第４開閉センサ２０６とからなる構成を示している。
【００４２】
第１開閉センサ２０３乃至第４開閉センサ２０６は図１には示されていないが、各扉の開閉を検出するものである。
【００４３】
図１に示した通信部１１５は電力伝送部２２１と送信機２２２と受信機２２３とにより構成されている。
【００４４】
電力伝送部２２１は交流磁界をコイルで発生させ、保存物情報タグ２０１へ電磁誘導により電力を伝送する。
【００４５】
送信機２２２は保存物情報タグ２０１へ情報の送信するものであり要求送信部に相当する。
【００４６】
受信機２２３は保存物情報タグ２０１から上記の保存物情報を受信する。
【００４７】
また、図１に示した制御パネル１１７は受信処理部２３１と算出部２３２と制御部２３３と表示部２３４と操作部２３５から構成されている。
【００４８】
受信処理部２３１は各保存室に設置された受信機２２３からの情報を受け、どの保存室からの情報であるかを判定し、算出部２３２へ伝える。この受信処理部２３１と受信機２２３とが情報受信部を構成している。
【００４９】
算出部２３２は受信機２２３が受信した保存物情報と最も適合する環境で保存するための冷却器や冷却ファン等の制御内容を算出する。
【００５０】
制御部２３３は算出部２３２の算出結果を受けて、冷却器や冷却ファン等を制御する。
【００５１】
表示部２３４は受信処理部２３１からの情報や算出部２３２による算出結果を表示パネルに表示する。この表示部２３４が出力部に相当する。
【００５２】
操作部２３５は各保存室の温度等の設定や警告表示の解除指示を入力する操作ボタンである。
【００５３】
以上のように構成された保存制御装置１０３について、以下にその動作、作用を図３のフローチャートを用いて説明する。なお、本願発明の動作に関わる構成物についてのみ表記し、通常の冷蔵庫の構成物並びに動作については説明を省略している。
【００５４】
まず、制御部２３３は第１開閉センサ２０３乃至第４開閉センサ２０６からの扉の開閉状態を常時監視する（ステップＳ３０１）。
【００５５】
次に、扉が開状態から閉状態に変わったことを検出した場合、制御部２３３は電力伝送部２２１に電力の伝送開始を指示する（ステップＳ３０２）。
【００５６】
次に、制御部２３３は庫内の全ての送信機２２２へ保存物情報の送信要求を指示する。これを受けて全ての送信機２２２は保存物情報タグ２０１に情報の送信要求を出力する（ステップＳ３０３）。
【００５７】
次に、受信処理部２３１が保存物情報タグ２０１から応答をいずれかの受信機２２３が受信したか否かを判定し（ステップＳ３０４）、一定時間受信がない場合は再度ステップＳ３０３へ戻る（ステップＳ３０５）。
【００５８】
いずれの受信機２２３も応答を一定時間連続して受信しない場合は、庫内に保存物が無いと判断し、電力伝送を停止し（ステップＳ３０６）、ステップＳ３０１へ戻る。
【００５９】
一方、受信機２２３が保存物情報タグ２０１から応答を受信した場合は、全ての保存物情報タグからの情報の受信を行う（ステップＳ３０７）。この情報の受信が完了したか否かは、あらかじめ一定の時間を設定しておき、その時間が経過した時点で全ての受信が完了したと判定することが可能である。
【００６０】
ここで保存物情報タグ２０１と保存制御装置２０２との通信について、図４を用いて以下に説明する。なお、本実施の形態では保存物が２つあり、２つの保存物情報タグＡと保存物情報タグＢと保存制御装置２０２との通信を例に説明する。
【００６１】
まず、２つの保存物情報タグは電力の供給を受けると起動し、保存制御装置２０２からの送信開始要求を待つ（ステップＳ４０１）。この送信開始要求はタグのＩＤを指定すること無しに、どのタグからも送信が可能であることを示している。
【００６２】
次に、両方の保存物情報タグはこの要求を受信すると、自己のＩＤと共に送信開始を通知するデータを保存制御装置２０２へ送信する（ステップＳ４０２、ステップＳ４０３）。
【００６３】
保存制御装置２０２は、両保存物情報タグから全く同時に受信すると両方のデータを取り込むことが出来ないため、両方の保存物情報タグに応答を返さない。
【００６４】
このため両方の保存物情報タグは、それぞれがあらかじめ設定されている再送開始時間、例えば保存物情報タグＡの再送開始時間Ｔ１、保存物情報タグＢの再送開始時間Ｔ２の経過後、再度送信開始を出力する（ステップＳ４０４、Ｓ４０６）。
【００６５】
なお、この再送開始時間Ｔ１と再送開始時間Ｔ２はＩＤ毎に異なるように設定されているため、保存制御装置２０２は先に受信した方の保存物情報タグＡに対し応答を返す（ステップＳ４０５）。この応答には送信先のタグＩＤと送信周期が設定されている。このため、この応答を受信した保存物情報タグはＩＤをチェックし、自己のＩＤと異なる場合この応答を無視する。また、この送信周期は複数の送信先との時分割通信が可能なように算出された時間であり、保存制御装置２０２において管理される。
【００６６】
保存物情報タグＡはＩＤが自己のＩＤと一致した場合は、残りの送信すべき保存物情報を所定のサイズごとに分けて送信する（ステップＳ４０６、Ｓ４１０）。その際には、保存制御装置２０２から指示された送信周期Ｔ３で送信を行う。
【００６７】
保存物情報タグＡは全ての保存物情報を送信し終わった後に、送信完了を保存制御装置２０２へ通知する（ステップＳ４１４）。
【００６８】
保存制御装置２０２はこれを受けて応答を返す（ステップＳ４１５）。保存物情報タグＡは自己の保存物情報が全て保存制御装置２０２により受信されたことを確認できたので、再度送信開始を送ることはしない。
【００６９】
一方、保存物情報タグＢは送信した送信開始の通知に対して受信したＩＤが自己のＩＤと異なるため、保存制御装置２０２が送信開始を正常に受信しなかったと判断し、再送開始時間Ｔ２の経過後再度自己のＩＤと共に送信開始を通知するデータを保存制御装置２０２へ送信する（ステップＳ４０８）。
【００７０】
保存制御装置２０２は、今度は正常に受信できたので、保存物情報タグＢへそのタグのＩＤと送信周期Ｔ４を設定した応答を送信する（ステップＳ４０９）。
【００７１】
以降の動作は保存物情報タグＡと同一である（ステップＳ４１２乃至Ｓ４１７）。
【００７２】
以上のように、保存制御装置２０２は保存物情報タグ２０１とハンドシェーク方式で時分割通信することにより、複数の保存物から同時に保存物情報を取得することが可能になる。
【００７３】
受信機２２３は上記のように受信した情報を、自己の保存室が識別できる保存室識別ＩＤを付けて逐次受信処理部２３１へ送る。受信処理部２３１はこの保存室識別ＩＤにより受信した保存物情報の保存物がどの保存室に収納しているかを判定し、その情報と共に算出部２３２へ通知する。
【００７４】
次に、保存制御装置２０３は送信完了に対する応答を出力し、その他の保存物情報タグ２０１からの受信があるか否かを判定するため所定時間待ったのち、電力伝送部２２１からの電力の供給を停止する（ステップＳ３０８）。
【００７５】
次に、算出部２３２が受信処理部２３１からの情報を受け、それを基に冷蔵庫１０２の保存室毎に、温度制御の内容を算出する（ステップＳ３０９）。
【００７６】
以下に、この算出方法について説明する。
【００７７】
まず、検出された複数の保存物情報から、同一の保存室に共存しても保存制御が可能か否かをチェックする。例えば、図５に示した保存物情報の一つである鮮度と保存温度との関係５０９を用いる。すなわち、算出部２３２は保存物Ａと保存物Ｂについて、図６（Ａ）に示されるような鮮度と保存温度の関係６０１、６０２が各々の保存物情報として検出する。この場合、算出部２３２は保存物Ａの鮮度ＲAを所定以上に保ったままで保存するのに適する保存温度と、保存物Ｂの鮮度ＲBを保存するのに適する保存温度とに重複する温度があることを求め、共存可能であると判断する。
【００７８】
また更に、保存物Ａの鮮度ＲAと保存物Ｂの鮮度ＲBの和Ｒが最大になる温度を最適保存温度とみなし、保存の際の保存温度とすることに決定する。そして、温度Ｐ６０３が、この場合の最適保存温度となる。この鮮度ＲAと鮮度ＲBは、ユーザの要求する保存結果の優先度が異なる場合があるため、（式１）に示すように保存物毎に重み付けを加えることもできる。これにより、保存物Ａよりも保存物Ｂの保存結果を優先したい、例えば、より長く鮮度を保つように保存して欲しい場合に、単純に鮮度の総和で決定するのではなく、保存物個々の優先度を考慮した鮮度で決定することが可能になる。
【００７９】
【数１】
2004198043.tif 000003
また同様に、保存制御内容の種類（保存ガス、保存時の明るさ、時間軸に対する温度勾配）等によって、その鮮度が異なる。これらの中から保存物を最もよく保存できる方法を選択する。
【００８０】
また、この保存の指標として、鮮度のみではなく保存物の保存による熟成度を考慮し、全体の熟成度の和が最も少なくなる保存制御の内容を求めることもできる。また、別の指標として保存可能な時間、消費エネルギー、保存に伴うコスト、保存庫への負荷等がある。これらの指標を単独、あるいは組み合わせた上で、最も指標が満たされる方法を決定する。これらの指標は、ユーザの好みによって設定しもよく、また保存物毎に設定してもよい。
【００８１】
なお、本実施の形態では、保存制御の内容として温度制御を用いたが、これに限らず庫内の湿度を制御したり、青果物の鮮度保持に特に有効とされる庫内の炭酸ガスや窒素ガスの濃度を高める制御を行ったり、あるいは庫内の圧力を１００Ｔｏｒｒ程度まで下げて、酸素濃度を低く制御したりする方法を有する場合は、保存物情報に基づいて、これらの中から保存物を最も鮮度よく保存できる方法を選択することが可能である。
【００８２】
次に、上記算出結果から保存が適する条件で可能か否かを判定する（ステップＳ３１０）。以下に、この判定方法について説明する。
【００８３】
複数の保存物が同時に保存室に収納された場合、保存物によっては臭い移りするため他の物と一緒に保存すると好ましくない物や、一緒に保存するのが好ましくない組み合わせが存在する。例えば、鮮度と保存温度との関係が、図６（Ｂ）に示すように、保存物Ａ、保存物Ｂおよび保存物Ｃの保存温度が重複するところがない場合は、共存出来ないと判断する。
【００８４】
算出部２３２が保存に適すると判断した場合、制御部２３３はこれを受けて、冷却器１０７や冷却ファン１０６などを制御して算出部２３２の決定した制御を行う（ステップＳ３１１）。例えば、図６（Ａ）に示した保存物Ａと保存物Ｂとの保存の場合、保存温度Ｐ６０３で温度制御を行う。
【００８５】
一方、保存に適さないと判断した場合、算出部２３２は制御パネル１１７の表示部２３４に取り除くべき保存物の品名等を表示して警告する（ステップＳ３１２）。例えば、図６（Ｂ）に示した保存物Ａと保存物Ｂと保存物Ｃとをひとつの保存室に収納している場合、保存物Ｃを取り出すことの警告を行う。
【００８６】
次に、制御部２３３は操作部２３５からの警告解除指示があるか否かをチェックし、警告解除指示があるまで警告を表示し続ける。
【００８７】
警告解除指示があった場合は表示を解除し、保存温度Ｐ６０３で温度制御を行う。
【００８８】
なお、上記の例では保存の適・不適の判断は、同一保存室内の全ての保存物情報の推奨値が共通に存在するか否かとしたが、所定の許容範囲を設け、その中で最適な保存制御内容を決定することも可能である。
【００８９】
また、ステップＳ３０９において、算出部２３２が最適な保存制御の内容を決定する際に、利用者が保存適・不適の判断条件を設定可能にし、その条件を最大限満足する保存制御内容を決定することも可能である。例えば、保存物情報の中の価格が利用者の定める閾値以上の保存物の保存制御内容を優先したり、あるいは、希望時期に熟成することを優先したり、あるいはこれらの組み合わせにすることも可能である。
【００９０】
なお、本実施の形態では電力伝送部２２１が保存物情報タグ２０１に電力の伝送を行っていたが、これは必須の構成要件ではなく、保存物情報タグ２０１が電池等の電力源を自ら所有する場合には不要となる。
【００９１】
また、本実施の形態では送信機２２２が保存物情報タグ２０１に送信の開始を要求する構成としたが、送信機２２２は必須の構成要件ではなく、保存物情報タグ２０１が電力伝送部２２１からの電力の供給を受けて起動した時点から、送信を開始する場合には不要となる。
【００９２】
また、保存物情報の取得とその結果の通知を、本実施の形態では全ての保存物が庫内に収納され、扉が閉じられた後に行っていたが、これに限らず保存物を順次収納開始する時点から保存物情報の取得を行い、上記のような好ましくない組み合わせの保存物が収納される度に算出部２３２が判断して表示部２３４に警告表示を行ったり、操作部２３５で警告音を発生させたり、音声で利用者に通知することもできる。更に、どの保存室であれば情報タグの保存条件に適合することができるかを表示部２３４に指示することも可能である。
【００９３】
なお、この場合には、ステップＳ３０２で扉が開状態から閉状態に変わったことを検出して、制御部２３３が電力伝送部２２１に電力の伝送開始を指示することはせず、扉が開状態になった時点から制御部２３３が庫内の全ての送信機２２２へ保存物情報の送信要求を指示することになる。
【００９４】
以上のように、本実施の形態においては保存物に添付された保存物情報タグ２０１から保存物情報を受信する受信処理部２３１と、この保存物情報に基づいて保存制御の内容を求める算出部２３２と、保存制御内容を実行する制御部２３３とを備えていることにより、保存物個々の保存物情報を自動的に、かつ同時に読み込むことができるので、利用者が保存室に保存物をまとめて入れるだけで、その情報に基づいてそれぞれの保存物にとって最適な保存環境となるように制御することが可能になる。
【００９５】
（実施の形態２）
図７は、本発明の第２の実施の形態における冷蔵庫と保存物に附属の無線情報タグとからなるブロック構成図を示している。実施の形態１とは情報更新部７０１が追加されている点が異なる。また、図示していないが制御部２３３はタイマー機能を有し、現在時刻を常時カウントしている。
【００９６】
また、保存物情報タグ２０１の記録している保存物情報には、冷蔵庫から取り出した時刻であるところの最終保存時刻および、冷蔵庫から取り出している時間の累積であるところの取り出し累積時間が追加されている。
【００９７】
この情報更新部７０１は、保存物情報タグ２０１が保持している最終保存時刻や、取り出し累積時間の情報を、制御部２３３や算出部２３２からの指示により新たな最終保存時刻に更新するため、送信機２２２を介してこれらの情報を保存物情報タグ２０１へ送信する。保存物情報タグ２０１はそれを受けて記録を更新することができる。この情報更新部７０１と送信機２２２とが情報送信部に相当する。
【００９８】
図８は本実施の形態の動作を説明するためのフローチャートである。実施の形態１と異なる点は、扉の開閉のチェックにおいて、開けられたことを検出した場合（ステップＳ８０１）、情報更新部７０１が現在時刻を最終保存時刻として保存物情報タグに更新の指示を出し（ステップＳ８０２）、その後電力伝送の停止をする（ステップＳ８０３）点である。
【００９９】
また、保存制御内容の算出処理（ステップＳ３０９）において、算出部２３２は保存物情報に追加された最終保存時刻と現在時刻とから取り出し時間を算出し、それまでの取り出し時間との累積時間を更に求め、保存物情報タグに取り出し累積時間の情報の更新を指示する。算出部２３２はこの取り出し累積時間を基に、賞味期限や消費期限をあらかじめ定めた規則により短くする処理を更に行い、利用者にこの新たな賞味期限や消費期限を表示部２３４に表示して通知する。
【０１００】
なお、扉が開閉するたびに保存物を実際に取り出していなくても、扉の開いている時間は取りだし時間としてカウントされ、頻繁に扉の開閉を行うと賞味期限等が短くなる。これを望まない場合は、一定の時間以下の取り出しについては取り出し時間としてカウントしないとすることも可能である。
【０１０１】
また、本実施の形態では、取り出し累積時間を例に説明したが、これとは別に取り出し回数を使用することも可能である。
【０１０２】
この場合は、扉が閉じられた時点で取り出し時間を算出し、一定時間以上であれば取り出されたと判定して、読み取った保存物情報の取り出し回数に１を加算して、それを情報更新部７０１から更新の指示を出す。これにより、保存物情報タグ２０１には取り出し回数が記録されるとともに、算出部２３２は取り出し回数を基に賞味期限や消費期限を変更し、表示することができる。
【０１０３】
以上のように、本実施の形態においては、保存制御装置２０２が保存物情報タグ２０１から取り出し回数や取り出し累積時間の最新情報が取得できるので、取り出し等により保存物が劣化する状況を賞味期限や消費期限を短縮して表示することで利用者に警告することが可能になる。
【０１０４】
（実施の形態３）
図９は、本発明の第３の実施の形態における冷蔵庫１０１と保存物に附属の保存物情報タグ２０１と電気通信回線９０１とからなるブロック構成図を示している。実施の形態２とは電気通信回線９０１と通信部９０２と記憶部９０３とが追加されている点が異なる。なお、第１冷却器１０７乃至第４冷却器１１３、第１開閉センサ２０４乃至第４開閉センサ２０６は省略している。
【０１０５】
そして、この通信部９０２は電気通信回線９０１を介して、生産者や市場関係者や小売店から保存物に関するリコール情報を常時取得し、記憶部９０３へ蓄積する。
【０１０６】
算出部２３２はステップＳ３０９において、取得した被洗濯物情報の一部であるＩＤをチェックし、保存物情報タグ２０１から取得したＩＤが、記憶部９０３に蓄積されたリコール対象の商品であるか否かをチェックし、対象品であれば表示部２３４に警告表示する。
【０１０７】
以上のように、本実施の形態においては電気通信回線９０１から通信部９０２を介して最新のリコール情報を取得し記憶部９０３に蓄積できるので、保存物がリコール対象品であるか否かを常に監視して、そのような欠陥商品の使用を防止することできる。
【０１０８】
【発明の効果】
本発明により、保存制御装置が利用者の手を煩わせることなしに、それぞれの保存物にとって適する環境で保存することできる。
【図面の簡単な説明】
【図１】本発明の第１の実施の形態における冷蔵庫本体の断面図
【図２】本発明の第１の実施の形態における冷蔵庫と保存物に附属の保存物情報タグとからなるブロック構成図
【図３】本発明の第１の実施の形態における保存制御装置の動作を示すフローチャート
【図４】本発明の第１の実施の形態における保存物情報タグと保存制御装置との通信シーケンス図
【図５】本発明の第１の実施の形態における保存物情報を示す図
【図６】本発明の第１の実施の形態における鮮度と保存温度の関係を示す図
【図７】本発明の第２の実施の形態における冷蔵庫と保存物に附属の無線情報タグとからなるブロック構成図
【図８】本発明の第２の実施の形態における保存制御装置の動作を示すフローチャート
【図９】本発明の第３の実施の形態における冷蔵庫と保存物に附属の無線情報タグとからなるブロック構成図
【図１０】従来の冷蔵庫の概略構成図
【図１１】従来の冷蔵庫のブロック構成図
【符号の説明】
１０１  冷蔵庫
１０２  冷凍室
１０３  第１冷蔵室
１０４  第２冷蔵室
１０５  野菜室
１０６  第１冷却ファン
１０７  第１冷却器
１０８  第２冷却ファン
１０９  第２冷却器
１１０  第３冷却ファン
１１１  第３冷却器
１１２  第４冷却ファン
１１３  第４冷却器
１１４  圧縮機
１１５ａ乃至１１５ｊ  通信部
１１６  扉
１１７  制御パネル
２０１  保存物情報タグ
２０２  保存制御装置
２０３  第１開閉センサ
２０４  第２開閉センサ
２０５  第３開閉センサ
２０６  第４開閉センサ
２２１  電力伝送部
２２２  送信機
２２３  受信機
２３１  受信処理部
２３２  算出部
２３３  制御部
２３４  表示部
２３５  操作部
７０１  情報更新部
９０１  電気通信回線
９０２  通信部
９０３  記憶部
１００１  冷蔵庫
１００２  食品保管容器
１００３  情報タグ
１００４  情報タグ送受信装置
１１０１  冷蔵庫本体
１１０２ａ乃至１１０２ｎ  アンテナ
１１０３  制御装置
１１０４  リーダ
１１０５  表示装置
【図１】
2004198043.tif 000004
【図２】
2004198043.tif 000005
【図３】
2004198043.tif 000006
【図４】
2004198043.tif 000007
【図５】
2004198043.tif 000008
【図６】
2004198043.tif 000009
【図７】
2004198043.tif 000010
【図８】
2004198043.tif 000011
【図９】
2004198043.tif 000012
【図１０】
2004198043.tif 000013
【図１１】
2004198043.tif 000014